(57)【要約】【課題】対象となる商品の量及び種類に応じて表示態様を変化させることが可能であり、且つ利便性の高い商品情報表示媒体収容具の提供。【解決手段】商品情報表示媒体収容具１は、載置可能部１０と、表示部保持部２０と、商品情報表示部３０とを有している。商品情報表示部３０は収容部板部３１及び袋構成部３２を有している。収容部板部３１は商品情報表示部３０の外形を規定している。袋構成部３２は、収容部板部３１の周縁部に沿ってその周縁部が貼り付けられており、収容部板部３１と協働して袋状の収容部をなしている。書籍広告４０は、収容部板部３１と袋構成部３２とから構成される当該袋状の収容部に収容される。【選択図】図２
0003161165.tif 000002
【実用新案登録請求の範囲】
【請求項１】
少なくとも一部に商品を載置可能な載置可能部と、
該載置可能部から略鉛直上方に延出する表示部保持部と、
該表示部保持部の上端に接続され、該載置可能部に載置された商品の商品情報を表示する商品情報表示部とを有し、
該載置可能部は、商品が載置されている該載置可能部の部分から該表示部保持部の上端までの高さを調整可能な高さ調整手段を有し、
該商品情報表示部は、該商品情報が記載された商品情報表示媒体を収容可能な収容部を有し、該収容部に収容された該商品情報表示媒体の該商品情報は、該商品情報表示部の外方から視認可能であることを特徴とする商品情報表示媒体収容具。
【請求項２】
該収容部は合成樹脂製の収容部板部と該収容部板部の周縁部の一部に接合され該収容部板部と協働して袋状をなす袋構成部とを有し、
該載置可能部、該表示部保持部及び該収容部板部は合成樹脂製の一枚の板状部材からなり、該板状部材の一端部は該収容部板部をなし、該板状部材の他端部は該載置可能部をなすことを特徴とする請求項１に記載の商品情報表示媒体収容具。
【請求項３】
該高さ調整手段は該板状部材の長手方向における一端部及び他端部を結ぶ方向と略垂直方向に互いに平行に複数本延伸する切込溝と、隣接する該切込間に位置する該載置可能部の部分からなる切込溝間部とを有し、
該載置可能部の一部であって該板状部材の他端と最他端側の切込溝との間の部分は該載置可能部に商品が載置される載置部をなし、
該複数本の切込溝から一の切込溝が選択され該載置可能部が該一の切込溝で該載置部に対して略垂直に折り曲げられることにより略鉛直方向に指向する該切込溝間部の個数が決定されて該高さが調整されることを特徴とする請求項２に記載の商品情報表示媒体収容具。
【考案の詳細な説明】
【技術分野】
【０００１】
本考案は商品情報表示媒体収容具に関し、特に、書店等において平積みされている書籍の商品情報を表示するための書籍公告を収容する商品情報表示媒体収容具に関する。
【背景技術】
【０００２】
従来より、例えば書店において商品たる平積みされた書籍を宣伝するための樹脂製の商品情報表示具が用いられている。商品情報表示具は、書店の棚の前方にある平置台の上面に配置され書籍がその上に載置される載置部と、書籍の題号等が記載された商品宣伝広告を表示し載置部に載置された書籍を指し示す表示部と、表示部を支持するために載置部から鉛直方向に延伸する保持部とを有して構成されている。
【先行技術文献】
【特許文献】
【０００３】
【特許文献１】特開２０００−３１５０５０号公報
【考案の概要】
【考案が解決しようとする課題】
【０００４】
このような商品情報表示具では表示部の商品宣伝広告は、表示部に対して、例えば貼り付けなどの手法により表示部を構成する部材に固定されていた。そのため、例えば書籍が売り切れてしまう等の理由により載置部に載置される書籍が別の書籍に変更された場合には、商品情報表示具そのものを新たなものに変更する必要があった。この結果、それまで使用されてきた商品情報表示具は、再び表示部に表示される宣伝広告と同じ書籍が入荷されるまで使用できなくなってしまい、利便性という観点から不都合が生じていた。
【０００５】
そこで、本考案は、対象となる商品の量及び種類に応じて表示態様を変化させることが可能であり、且つ利便性の高い商品情報表示媒体収容具を提供することを目的とする。
【課題を解決するための手段】
【０００６】
上記目的を達成するために本考案は、少なくとも一部に商品を載置可能な載置可能部と、該載置可能部から略鉛直上方に延出する表示部保持部と、該表示部保持部の上端に接続され、該載置可能部に載置された商品の商品情報を表示する商品情報表示部とを有し、該載置可能部は、商品が載置されている該載置可能部の部分から該表示部保持部の上端までの高さを調整可能な高さ調整手段を有し、該商品情報表示部は、該商品情報が記載された商品情報表示媒体を収容可能な収容部を有し、該収容部に収容された該商品情報表示媒体の該商品情報は、該商品情報表示部の外方から視認可能である商品情報表示媒体収容具を提供している。
【０００７】
商品情報表示部は、商品情報が記載された商品情報表示媒体を収容可能な収容部を有し、収容部に収容された商品情報表示媒体の商品情報は、商品情報表示部の外方から視認可能であるため、たとえ載置可能部に載置される商品が変更された場合であっても、変更された商品に対応する商品情報表示媒体を新たに収容部に収容することで、商品情報表示媒体収容具の利便性を向上させることができる。また、載置可能部は、商品が載置されている載置可能部の部分から表示部保持部の上端までの高さを調整可能な高さ調整手段を有しているため、載置部に載置される商品の量に応じて商品情報表示部の高さを調整することができる。
【０００８】
ここで、該収容部は合成樹脂製の収容部板部と該収容部板部の周縁部の一部に接合され該収容部板部と協働して袋状をなす袋構成部とを有し、該載置可能部、該表示部保持部該及び該収容部板部は合成樹脂製の一枚の板状部材からなり、該板状部材の一端部は該収容部板部をなし、該該板状部材の他端部は該載置可能部をなすことが好ましい。
【０００９】
収容部は合成樹脂製の収容部板部と収容部板部の周縁部の一部に接合され収容部板部と協働して袋状をなす袋構成部とを有し、載置可能部、表示部保持部及び収容部板部は合成樹脂製の一枚の板状部材であり、板状部材の一端部は収容部板部をなし、板状部材の他端部は該載置可能部をなしているため、安価で簡易な構成とすることができ、また商品情報表示媒体の損傷を防ぐことができる。
【００１０】
また、該高さ調整手段は該板状部材の長手方向における一端部及び他端部を結ぶ方向と略垂直方向に互いに平行に複数本延伸する切込溝と、隣接する該切込間に位置する該載置可能部の部分からなる切込溝間部とを有し、該載置可能部の一部であって該板状部材の他端と最他端側の切込溝との間の部分は該載置可能部に商品が載置される載置部をなし、該複数本の切込溝から一の切込溝が選択され該載置可能部が該一の切込溝で該載置部に対して略垂直に折り曲げられることにより略鉛直方向に指向する該切込溝間部の個数が決定されて該高さが調整されることが好ましい。
【００１１】
高さ調整手段は板状部材の長手方向における一端部及び他端部を結ぶ方向と略垂直方向に互いに平行に複数本延伸する切込溝と、隣接する該切込間に位置する該載置可能部の部分からなる切込溝間部とを有し、該載置可能部の一部であって該板状部材の他端と最他端側の切込溝との間の部分は該載置可能部に商品が載置される載置部をなし、該複数本の切込溝から一の切込溝が選択され該載置可能部が該一の切込溝で該載置部に対して略垂直に折り曲げられることにより略鉛直方向に指向する該切込溝間部の個数が決定されて該高さが調整されるため、簡単な構成で高さ調整を可能とすることができる。
【考案の効果】
【００１２】
以上により、本考案は、対象となる商品の量及び種類に応じて表示態様を変化させることが可能であり、従って利便性の高い商品情報表示媒体収容具を提供することができる。
【図面の簡単な説明】
【００１３】
【図１】本考案の実施の形態に係る商品情報表示媒体収容具を示す平面図。
【図２】本考案の実施の形態に係る商品情報表示媒体収容具の載置部に書籍が５冊平積みされた状態を示す斜視図。
【図３】本考案の実施の形態に係る商品情報表示媒体収容具の載置部に書籍が３冊平積みされた状態を示す斜視図。
【考案を実施するための形態】
【００１４】
本考案の実施の形態による商品情報表示媒体収容具１について図１〜図３を参照しながら説明する。商品情報表示媒体収容具１は、図１に平面的に示すように、下方から上方に向かって載置可能部１０と、表示部保持部２０と、商品情報表示部３０とを有している。載置可能部１０と、表示部保持部２０と、商品情報表示部３０の後述の収容部板部３１とは、合成樹脂製の一枚の板状部材として一体的に構成されている。
【００１５】
載置可能部１０は、板状部材の一端部分（図１下部）を構成しており、載置部１１と、切込溝１２と、切込溝間部１３とを有している。載置可能部１０は、板状部材の一端部（図１における上端部）と他端部（図１における下端部）とを結ぶ方向へ指向する互いに平行な切込溝１２が、当該板状部材の長手方向に沿って３本等間隔で載置可能部１０に形成されていることにより、１箇所の載置部１１と２箇所の切込溝間部１３とに区切られている。より詳細には、図１の最も上に位置する切込溝１２を規定している２本の線のうちの上側の線よりも図の下方に位置する板状部材の部分が載置可能部１０をなす。切込溝１２と切込溝間部１３とは高さ調整手段に相当する。
【００１６】
切込溝１２により区切られた載置可能部１０の各部分のうち図１の一番下側に位置する部分は載置部１１をなす。載置部１１には、後述のように実際に使用されるときには書籍が載置される。互いに隣接する切込溝１２間の部分は切込溝間部１３をなす。載置可能部１０は各切込溝１２で曲折可能であり、いずれかの切込溝１２で載置可能部１０を曲折することにより、載置部１１に対して後述の表示部保持部２０を略鉛直方向に延出した状態とすることができる。
【００１７】
商品情報表示部３０は、板状部材の他端部分（図１上部）の部分を構成しており、収容部板部３１及び袋構成部３２を有している。収容部板部３１は商品情報表示部３０の外形を規定しており、図１に示す上端側ほど幅が狭くなる五角形状をなしている。収容部板部３１は、後述の表示部保持部２０と直接的に一体接続されている。袋構成部３２は、収容部板部３１の周縁部に沿ってその周縁部が貼り付けられており、収容部板部３１と協働して袋状の収容部をなしている。書籍広告４０は、収容部板部３１と袋構成部３２とから構成される当該袋状の収容部に収容される。
【００１８】
収容部板部３１の一部であって、商品情報表示部３０と表示部保持部２０との接続位置よりも図１の上側の部分は、袋構成部３２に対向せずに袋状の収容部を構成していない部分が存在する。この部分と袋構成部３２との境界線の位置に当該袋状の収容部の開口３０ａが形成され、この開口３０ａから図１の上方へ向かって、書籍公告４０は当該袋状の収容部に挿入することができるように構成されている。また、この部分に少しはみ出ている書籍公告４０の一部をユーザが指で摘み、当該袋状の収容部から書籍公告４０を容易に出し入れすることができるように構成されている。当該袋状の収容部を構成していない部分は、略台形状をなしている。
【００１９】
表示部保持部２０は、板状部材のうちの、載置可能部１０と商品情報表示部３０との間の部分により構成されており、図１の上側の部分は図の左右方向における幅の小さな幅狭部をなし、図１の下側の部分は同方向における幅が載置可能部１０の幅と同一の幅広部をなす。
【００２０】
以下、書店等において商品情報表示媒体収容具１が所定の書籍の販売を促進するために用いられる例を説明する。ここでは、載置部１１に載置される書籍５０が５冊の場合を例に挙げて説明する。また、図示の都合上、各書籍５０は一点鎖線により示す。
【００２１】
載置可能部１０は、書店の棚の上面と平行に平積みで載置される。図２に示すように、載置される書籍５０が多数（５冊）ある場合には、載置可能部１０のうち載置部１１にのみ書籍５０が載置されることとなり、切込溝間部１３上には書籍５０が載置されない。より具体的には、載置されるべき書籍５０が多数あるときには、一番下側に位置する書籍５０の底面から一番上側に位置する書籍５０の上面までの高さが比較的高くなる。この場合、商品情報表示部３０を可能な限り高い位置に位置させる必要性がある。そのためには、載置可能部１０に３本設けられている切込溝１２のうちの図１の一番下側の切込溝１２で載置可能部１０を折り曲げることによって、切込溝間部１３及び表示部保持部２０を、図２に示すように載置部１１に対して垂直とする。また、表示部保持部２０と商品情報表示部３０との接続位置において商品情報表示部３０を折り曲げることによって、図１に示す商品情報表示部３０の上端が、図２に示すように下方へ向いた状態とする。
【００２２】
図２に示すように、「こどもはココが苦手！」というタイトルの書籍５０を示す書籍広告４０が袋構成部３２には収容されている。上述のように、収容部板部３１は透明な合成樹脂により構成されており、収容部板部３１を透して購入者は書籍広告４０の内容を視覚的に把握することができる。袋構成部３２が設けられている商品情報表示部３０は、図２に示すようにその上端部は表示部保持部２０に支持されている。商品情報表示部３０の図２に示す下端部は特定の部材に固定あるいは支持されておらず、自重により平積みされている書籍５0に接近し、当該平積みされている書籍５0を指す。このため、書籍５０の購入者は、五角形状の商品情報表示部３０が書籍５０のタイトルを表示していることを比較的容易に把握することができ、利便性が高まる。
【００２３】
更に、袋構成部３２に収容される書籍広告４０は、載置可能部１０に載置される書籍５０が変更されることに応じて、変更することが可能である。即ち、書籍広告４０は表示部３０の収容部に収容可能、又は収容部から取り出し可能な構成であるため、載置可能部１０に載置されていた書籍５０が変更された場合には、それまで袋構成部３２に収容されていた書籍広告４０に代えて新たに載置可能部１０に載置された書籍に対応した書籍広告を表示部３０の収容部に収容することとなる。従って、予め固定的に表示部に一体的に固定されている従来の商品情報表示具とは異なり、比較的簡易且つ安価な構成により書籍の変更に対応することができる。
【００２４】
次に、書籍が３冊になった状況を図３に示す。このような状況とは、例えば図２に示すように書籍５０が５冊あった状態から書籍５０が２冊購入された場合、あるいは載置されるべき書籍５０が３冊しかない場合等が考えられる。このような状況下では、図２の状態、即ち商品情報表示部３０の高さが最大限高い状態のままでは、商品情報表示部３０と書籍５０との距離が離れすぎてしまい、商品情報表示部３０と書籍５０とのバランスにより全体的な見栄えが悪くなる。そこで、載置可能部１０に３本設けられている切込溝１２のうち図１に示す一番上側の切込溝１２で載置可能部１０を折り曲げることにより、表示部保持部２０を載置可能部１０に対して立設させる。この結果、載置部１１から商品情報表示部３０までの距離、すなわち商品情報表示部３０の高さを最大限低くすることができる。
【００２５】
以上説明したように、本実施の形態の商品情報表示媒体収容具１では、載置可能部１０に設けられている３本の切込溝１２のうちいずれかの切込溝１２で曲折し表示部保持部２０を立設させることにより、載置可能部１０に載置される書籍５０の冊数に応じて商品情報表示部３０の高さを調整することができる。このため、商品情報表示媒体収容具１の見栄えを損なうことなく、書店に展示することができる。
【００２６】
さらに、載置可能部１０に載置される書籍が変更された場合には、その書籍の変更に応じて袋構成部３２に収容される書籍広告４０を変更するだけでよい。従って、商品情報表示媒体収容具１自体を取り替えずに、購入者に変更した書籍の内容を把握させることができる。すなわち、安価な構成により書籍の変更に対応することができる。
【００２７】
本考案による商品情報表示媒体収容具は、上述した実施の形態に限定されず、実用新案登録請求の範囲に記載した範囲で種々の変形や改良が可能である。例えば本実施の形態では、図１に示すように載置可能部１０は１箇所の載置部１１と２箇所の切込溝部間１３が設けられることとしたが、切込溝部間１３の個数は１箇所であってもよく、又は３箇所以上であってもよい。言い換えれば、載置可能部１０に設けられる切込溝１２の個数は３本に限定されない。このような構成とすることで、書籍５０の冊数に応じて商品情報表示部３０の高さをより柔軟に変化させることができる。
【００２８】
また、本実施の形態では、収容部板部３１の表示部保持部２０側の部分には袋構成部３２には対向していない部分が存在していたが、収容部板部３１の全面に渡って袋構成部が対向する構成としてもよい。また、袋構成部３２には対向していない部分は略台形状であったが、このような形状に限定されない。例えば書籍広告４０を出し入れし易いように袋構成部３２の書籍広告４０が挿入される開口近傍の部分が半円形状に部分的に欠けた形状をなしていてもよい。
【００２９】
また、本実施の形態では、収容部板部３１の形状は五角形であるとしたが、その他の形状、例えば三角形、四角形のような五角形以外の多角形、又は円形であってもよい。
【００３０】
また、書籍公告４０は図１の上方へ向かって、収容部板部３１と袋構成部３２とにより構成される袋状の収容部に挿入されたが、袋状の収容部の開口の位置はこの位置に限定されない。例えば、図１のおける右側又は左側に袋状の収容部の開口が形成されるように構成して、右側から又は左側から書籍公告４０を挿入するようにしてもよい。
【産業上の利用可能性】
【００３１】
本考案の商品情報表示媒体収容は、書店等において平積みされている書籍の商品情報を表示するための書籍公告の分野において特に有用である。
【符号の説明】
【００３２】
１          商品情報表示媒体収容具
１０        載置可能部
１１        載置部
１２        切込溝
１３        切込溝間部
２０        表示部保持部
３０        商品情報表示部
３１        収容部板部
３２        袋構成部
４０        書籍広告
５０        書籍
【図１】
0003161165.tif 000003
【図２】
0003161165.tif 000004
【図３】
0003161165.tif 000005